(57)【要約】　　　（修正有）【課題】耐震補強と外壁面のリフォームとを同時に行うことで、外壁の美観も優れる耐震補強リフォーム構造を提供すること。【解決手段】柱３と土台４に取り付けられるプレート部２ａとボルト連結部２ｂを備えた上部補強プレート２と、基礎６に取り付けられるプレート部５ａとボルト連結部５ｂを備えた下部補強プレート５とを弾性部材７を介して互いの前記ボルト連結部２ｂ，５ｂをボルト８で連結する耐震補強金具１を設け、外壁面９を覆って少なくとも表面材１１と充填材１４を備えるサイディング材１０を取り付ける一方、このサイディング材１０の充填材１４部分に前記上部補強プレート２のプレート部２ａを収納する収納用凹部２１を形成するとともに、当該上部補強プレート２のボルト連結部２ｂを露出させる切欠部２２，２３をサイディング材１０の表面材１１に形成し、このボルト連結部２ｂを覆うメンテナンスカバー２６を取り付ける。【選択図】　　　図１
2004068424.tif 000002
【特許請求の範囲】
【請求項１】
柱と土台に取り付けられるプレート部とボルト連結部を備えた上部補強プレートと、基礎に取り付けられるプレート部とボルト連結部を備えた下部補強プレートとを弾性部材を介して互いの前記ボルト連結部をボルトで連結する耐震補強金具を設け、外壁面を覆って少なくとも表面材と充填材を備えるサイディング材を取り付ける一方、このサイディング材の充填材部分に前記上部補強プレートのプレート部を収納する収納用凹部を前記サイディング材の充填材を切欠くかあるいは押し潰して形成するとともに、当該上部補強プレートのボルト連結部を露出させる切欠部をサイディング材の表面材に形成し、このボルト連結部を覆うメンテナンスカバーを取り付けてなることを特徴とする耐震補強リフォーム構造。
【発明の詳細な説明】
【０００１】
【発明の属する技術分野】
この発明は耐震補強リフォーム構造に関し、既存住宅の耐震補強と同時に外壁面のリフォームを簡単にできるようにしたものである。
【０００２】
【従来の技術】
阪神淡路大震災以来、既存住宅の耐震補強に対する関心が高まりつつあり、具体的な耐震補強方法についても種々提案されている。
【０００３】
このような耐震補強方法の一つに耐震補強金具を用いる方法があり、例えば図３に特開平１０−１６９２１０号公報の耐震補強金具を示すように、耐震補強金具１の上部補強プレート２のプレート部２ａを柱３と土台４に取り付ける一方、下部補強プレート５のプレート部５ａを基礎６に取り付け、それぞれのボルト連結部２ｂ，５ｂ同士を弾性部材７を介してボルト８で互いを連結することで、大地震に対しても柱３が土台４から外れたり、抜け出ることがないようにして既存住宅の崩壊を防止するようにしている。
【０００４】
【発明が解決しようとする課題】
ところが、このような耐震補強金具１を既存住宅に取り付けようとすると、通常、建物の外壁面の柱３と基礎６との間に取り付けるようにしなければならず、工事完了後は、これら耐震補強金具１が外側にむきだし状態となり、時間の経過とともに腐食したり、外観が悪くなってしまうという問題があり、例えこの部分をカバーで覆って腐食防止を図ったとしても外観が悪くなってしまうという問題がある。
【０００５】
一方、このような耐震補強を行うような既存住宅では、耐震補強と同時に長い間風雨に晒された外壁面をリフォームすることも多く、リフォームした外壁面の外側に耐震補強金具が出た状態では、耐震補強金具の腐食などの問題と美観の問題がそのまま残るとともに、リフォームによる効果を十分に発揮することができないという問題がある。
【０００６】
この発明は、上記従来技術の有する課題に鑑みてなされたもので、耐震補強と外壁面のリフォームとを同時に行うことで、簡単に施工でき、しかも耐震補強金具の腐食などを防止でき、外壁の美観も優れる耐震補強リフォーム構造を提供しようとするものである。
【０００７】
【課題を解決するための手段】
上記従来技術が有する課題を解決するため、この発明の請求項１記載の耐震補強リフォーム構造は、柱と土台に取り付けられるプレート部とボルト連結部を備えた上部補強プレートと、基礎に取り付けられるプレート部とボルト連結部を備えた下部補強プレートとを弾性部材を介して互いの前記ボルト連結部をボルトで連結する耐震補強金具を設け、外壁面を覆って少なくとも表面材と充填材を備えるサイディング材を取り付ける一方、このサイディング材の充填材部分に前記上部補強プレートのプレート部を収納する収納用凹部を前記サイディング材の充填材を切欠くかあるいは押し潰して形成するとともに、当該上部補強プレートのボルト連結部を露出させる切欠部をサイディング材の表面材に形成し、このボルト連結部を覆うメンテナンスカバーを取り付けてなることを特徴とするものである。
【０００８】
この耐震補強リフォーム構造によれば、柱と土台に取り付けられるプレート部とボルト連結部を備えた上部補強プレートと、基礎に取り付けられるプレート部とボルト連結部を備えた下部補強プレートとを弾性部材を介して互いの前記ボルト連結部をボルトで連結する耐震補強金具を設け、外壁面を覆って少なくとも表面材と充填材を備えるサイディング材を取り付ける一方、このサイディング材の充填材部分に前記上部補強プレートのプレート部を収納する収納用凹部を前記サイディング材の充填材を切欠くかあるいは押し潰して形成するとともに、当該上部補強プレートのボルト連結部を露出させる切欠部をサイディング材の表面材に形成し、このボルト連結部を覆うメンテナンスカバーを取り付けるようにしており、耐震補強金具のプレート部分をサイディング材の充填材を切欠くかあるいは押し潰して形成した収納用凹部に入れるようにし、ボルト連結部はサイディング材の表面材の切欠部から出してこの部分だけをメンテナンスカバーで覆うようにしており、収納用凹部を簡単に形成して耐震補強金具のプレート部を収納し、サイディング材の外観に変化を生じる部分を最少限として美観を損ねないようにすると同時に、耐震補強金具の腐食などを防止できるようにしている。
【０００９】
【発明の実施の形態】
以下、この発明の一実施の形態について図面に基づき詳細に説明する。
図１および図２はこの発明の耐震補強リフォーム構造の一実施の形態にかかり、図１（ａ）は概略縦断面図、図１（ｂ）は概略正面図、図２は工程の概略説明図である。
【００１０】
この耐震補強リフォーム構造２０では、既存の住宅に対して、既に説明した図３の耐震補強金具１を用いて耐震補強を施すとともに、既存の外壁９の上に金属サイディング材１０を取付けて外壁面をリフォームすることで構成される。
【００１１】
まず、既存住宅に対して耐震補強を施すため、耐震補強金具１を用い、図３に示したように、耐震補強金具１の上部補強プレート２のプレート部２ａを柱３と土台４に取り付ける一方、下部補強プレート５のプレート部５ａを基礎６に取り付け、それぞれのボルト連結部２ｂ，５ｂ同士を、高圧縮ウレタンゴム等で形成されたハイテンションスプリングと金属製のスプリングとの２つの弾性部材７を介してボルト８で互いを連結する。
【００１２】
これにより、大地震により耐震補強金具１の上部補強プレート２と下部補強プレート５との間に分断力が生じたときは、まずスプリングが圧縮されることで振動を吸収し、スプリングの完全圧縮状態の後はハイテンションスプリングによってそれ以上の分断力を吸収することになり、２段階の分断力の吸収で大きな分断力を吸収し、既存住宅の崩壊を防止する。
【００１３】
このような耐震補強金具１は、図１に示すように、既存の外壁９で柱３や土台４が覆われている場合には、既存の外壁９の上から取付けるようにし、必要箇所のすべてに耐震補強金具１を取り付ける。
【００１４】
この後、既存の外壁９のリフォームのためサイディング材１０が取り付けられる。
【００１５】
このサイディング材１０は、例えば図２（ａ）に示すように、金属薄板などの表面材１１の幅方向両端縁をフォーミングロール等で曲げ加工して表面を下にして略樋状（表面を上にした状態では略逆樋状となる）に形成するとともに、両端部に互いに嵌合連結される雌雄状連結部１２，１３を形成する一方、この表面材１１の略樋状の内部にポリウレタン発泡体などの充填材１４が設けられ、必要に応じてこの充填材１４を覆うように紙やアルミ箔などの裏面材１５を取付けてサンドイッチ構造として構成されている。
【００１６】
そして、このサイディング材１０の幅方向一端縁に形成される雄状連結部１２は、サイディング材１０の厚さ方向中央部の突出部１２ｂと下端部の釘打用片１２ｄとが表面材１１と平行に形成されて構成され、この雄状連結部１２に連結される雌状連結部１３は、略円形状のガイド凹部１３ｃと、水平な上部挾持部１３ｂと下方に傾斜して開口する下部挾持部１３ｄとで構成してある。
【００１７】
したがって、連結時には、下部挾持部１３ｄの傾斜を利用して傾けて連結でき、連結後には、上下挾持部１３ｂ，１３ｄによる接触面積の減少によって微調整を容易とし、これら上下挾持部１３ｂ，１３ｄを略円形のガイド凹部１３ｃで連結してリング状のバネ効果による大きな保持力を得るようにしており、これにより、連結強度を保持しつつ連結固定作業や位置合せ時のスライド等の施工性の向上を図るようにしている。
【００１８】
このサイディング材１０の表面材１１としては、鉄、アルミニウム、ステンレス、銅などの金属板や合成樹脂板が用いられ、表面処理鋼板、亜鉛・ニッケル合金をめっきした鋼板、アルミニウム・亜鉛合金をめっきした鋼板、ステンレスで鋼板をクラッドしたクラッド鋼板、アルミニウム板、アルミニウム合金板、鋼板でゴム，合成樹脂フィルムをクラッドした制振板等をあげることができ、これらの平板に限らず、エンボス加工、リシン塗装、ほうろう加工などを施したものであっても良い。
【００１９】
また、このような表面材１１を、表面を上にして略逆樋状に形成した裏側の凹部に接着、あるいは発泡一体化される充填材１４としては、断熱、嵩上げ、補強、防火、等の機能を有するものが必要に応じて選択されるが、通常、合成樹脂発泡体、グラスウール、シージングインシュレーションボード、発泡石膏、石膏、ロックウール、セメント、炭酸カルシウム、ケイ酸カルシウムなどが用いられる。　特に合成樹脂発泡体としては、ポリウレタン系フォーム、ポリエチレンフォーム、ポリスチレンフォーム等が用いられるが、中でも発泡固化に際して表面材１１と接着一体化する硬質ポリウレタンフォーム、ポリイソシアヌレートフォーム、フェノールフォームが好ましく用いられる。
【００２０】
さらに、裏面材１５としては、充填材１４を保護するものであり、防火性、生産性、パッキング性などを改善するもので、例えばクラフト紙、炭酸カルシウム混抄紙、アスファルトフェルト、アルミニウムや鉄、あるいは銅などの金属箔、合成樹脂フィルムやシート、ゴムシート、布シートやこれらをラミネートしたものなどを用いることができる。
【００２１】
次に、このようなサイディング材１０を用いて、例えば横張りの外壁面を構築する場合には、最下段のサイディング材１０を図示しないスタート金物などを用いて雌状連結部１３を下にして嵌合した後、上部の雄状連結部１２の釘打用片１２ｄを釘で既存の外壁面９に取付けた胴縁１６等の下地材に固定する。
【００２２】
この後、次の段のサイディング材１０の雌状連結部１３を下にして下部挾持部１３ｄの先端が雄状連結部１２の突出部１２ｂと釘打用片１２ｄの間に入るように手前に傾けて挿入し、傾けたまま下部挾持部１３ｄの先端のガイド部１３ｅが釘打用片１２ｄの内側面に接触するまで押し込み、さらに、サイディング材１０を立てるようにすると、下部挾持部１３ｄの先端のガイド部１３ｅが釘打用片１２ｄの内側面に接触しながら倣って行き、雄状連結部１２の下部端面部１２ｃの外側面と接触するようになる。
【００２３】
そして、さらに立てるようにすると、下部挾持部１３ｄの先端のガイド部１３ｅが雄状連結部１２の下部端面部１２ｃの傾斜した外側面と接触しながら倣って行き、サイディング材１０が垂直状態になると完全に連結された状態になる。
【００２４】
こうして固定状態の雄状連結部１２に次の段のサイディング材１０の雌状連結部１３を嵌合連結した後、サイディング材１０の横方向の位置を合わせ、上部の雄状連結部１２の釘打用片１２ｄを釘で壁面の下地材に固定することを繰り返してリフォームされた新たな外壁面を構築する。
【００２５】
一方、耐震補強金具１を取付けた部分は、図１および図２に示すように、処理するが、まず、サイディング材１０の充填材１４部分に耐震補強金具１の上部補強プレート２のプレート部分２ａを収納できる収納用凹部２１を形成する（図２（ａ）参照）。
【００２６】
この収納用凹部２１は、サイディング材１０の充填材１４の外側に裏面材１５を備える場合には、この裏面材１５を切り取り、充填材１４を切り欠くか、あるいは押し潰すことで胴縁１６とプレート部２ａの段差部分に相当する深さ、例えば５ｍｍ程度の凹部を形成する。
【００２７】
さらに、この耐震補強金具１の下方に位置するボルト連結部２ｂに対応して、サイディング材１０の充填材１４を完全に取り除くとともに、この充填材１４を取り除いた部分の下端縁より表面材１１の下端が３０ｍｍ程度突き出すようにして水切りを良くするようにしておく。
【００２８】
次に、ボルト連結部２ｂに対応して充填材１４が取り除かれて表面材１１だけの部分の上縁部に水平の切り込み２２を入れるとともに、この切り込みの中央部に垂直の切り込み２３を形成し、２片の表面材１１ａ，１１ｂを作るようにする（図２（ｂ）参照）。
【００２９】
そして、この２片の表面材１１ａ，１１ｂの基端部（根元部）を充填材１４の厚さ方向に沿って内側に折り曲げた後、既存の外壁面９に沿って折り曲げて先端縁を耐震補強金具１の内側の隙間に差し込む。さらに、表面材１１の水平の切り込み２２および２片の表面材１１ａ，１１ｂの基端部にそれぞれＬ字状断面で直線状のアングル材の補強部材２４を当ててサイディング材１０とリベットで固定するとともに、コーナ部分にもＬ字状断面で直角状のコーナキャップ２５を当てて同様にサイディング材１０とリベットで固定する（図２（ｃ）参照）。
【００３０】
このように２片の表面材１１ａ，１１ｂで既存の外壁面９を覆うことで、他のサイディング材１０部分とサイディング材１０による模様などを連続させることができる。
【００３１】
このようにして耐震補強金具１のボルト連結部２ｂの周囲をサイディング材１０の２片の表面材１１ａ，１１ｂで覆った後、耐震補強金具１の専用のメンテナンスカバー２６で覆い、サイディング材１０の表面材１１の端部などにビス等で固定し、必要に応じて取り外すことで弾性部材７およびボルト８による締め付け状態などの点検ができるようにしてある。
【００３２】
また、耐震補強金具１の下部補強プレート５のプレート部５ａおよびボルト連結部５ｂにも耐震補強金具１の専用の保護カバー２７を覆うように取り付けて腐蝕などを防止できるようにしてある。
【００３３】
このような耐震補強リフォーム構造２０によれば、耐震補強金具１の周囲をサイディング材１０の表面材１１で覆うとともに、メンテナンスカバー２６および保護カバー２７で覆うようにしたので、腐蝕などの問題を解消することができ、しかも他のサイディング材１０部分と耐震補強金具１の取付部分の模様に連続性を持たせることができ、美観に優れた外壁面にリフォームすることができる。
【００３４】
また、耐震補強金具１で補強するのに加え、既存の外壁面９にサイディング材１０を連結した外壁面を設けてリフォームすることで、住宅の耐久性が一層向上するとともに、サイディング材を壁面全体に施すことで、壁倍率向上による耐震補強も向上し、一層直下型地震などの大地震に対しても優れた耐震強度を確保することができる。
【００３５】
【発明の効果】
以上、一実施の形態とともに具体的に説明したようにこの発明の請求項１記載の耐震補強リフォーム構造によれば、柱と土台に取り付けられるプレート部とボルト連結部を備えた上部補強プレートと、基礎に取り付けられるプレート部とボルト連結部を備えた下部補強プレートとを弾性部材を介して互いの前記ボルト連結部をボルトで連結する耐震補強金具を設け、外壁面を覆って少なくとも表面材と充填材を備えるサイディング材を取り付ける一方、このサイディング材の充填材部分に前記上部補強プレートのプレート部を収納する収納用凹部を前記サイディング材の充填材を切欠くかあるいは押し潰して形成するとともに、当該上部補強プレートのボルト連結部を露出させる切欠部をサイディング材の表面材に形成し、このボルト連結部を覆うメンテナンスカバーを取り付けるようにしたので、耐震補強金具のプレート部分をサイディング材の充填材を切欠くかあるいは押し潰して形成した収納用凹部に入れるようにし、ボルト連結部はサイディング材の表面材の切欠部から出してこの部分だけをメンテナンスカバーで覆うことで、収納用凹部を簡単に形成して耐震補強金具のプレート部を収納することができ、サイディング材の外観に変化を生じる部分を最少限として美観を損ねないようにすることができると同時に、耐震補強金具の腐食などを防止することができる。
【図面の簡単な説明】
【図１】この発明の耐震補強リフォーム構造の一実施の形態にかかり、（ａ）は概略縦断面図、（ｂ）は概略正面図である。
【図２】この発明の耐震補強リフォーム構造の一実施の形態にかかる工程の概略説明図である。
【図３】この発明の耐震補強リフォーム構造の一実施の形態にかかる耐震補強金具の概略構成図である。
【符号の説明】
１　耐震補強金具
２　上部補強プレート
２ａ　プレート部
２ｂ　ボルト連結部
３　柱
４　土台
５　下部補強プレート
５ａ　プレート部
５ｂ　ボルト連結部
６　基礎
７　弾性部材
８　ボルト
９　既存の外壁面
１０　サイディング材
１１　表面材
１１ａ，１１ｂ　２片の表面材
１２　雄状連結部
１３　雌状連結部
１４　充填材
１５　裏面材
１６　胴縁
２０　耐震補強リフォーム構造
２１　収納用凹部
２２　水平の切り込み
２３　垂直の切り込み
２４　補強部材
２５　コーナキャップ
２６　メンテナンスカバー
２７　保護カバー
【図１】
2004068424.tif 000003
【図２】
2004068424.tif 000004
【図３】
2004068424.tif 000005